(57)【要約】【課題】  製造コストの削減が実現できるバックライト製造管理システムを提供する。【解決手段】  データ記録部２４は、入力端末２１から複数の発光デバイス集合体の光学特性が入力され、当該光学特性のデータを記録する。特性計算部２５は、複数の発光デバイス集合体を合成した光学特性が所望の光学特性に近似するよう合成の光学特性を計算する。配置決定部２６は、特性計算部２５による計算結果に適合するように複数の発光デバイス集合体から最適な発光デバイス集合体を選択し、ランプユニット上での発光デバイス集合体の配置を決定する。出力部２７は、配置決定部２６による決定結果を出力する。読み取り部２２は、発光デバイス集合体に付加された識別コードを読み取る。【選択図】  図５
2006251532.tif 000002
【特許請求の範囲】
【請求項１】
液晶パネルを背面から照明するバックライトの製造を管理するバックライト製造管理システムにおいて、
バックライトを構成するランプユニットに配置する複数の発光デバイス集合体の各光学特性データを記録するデータ記録手段と、
複数の発光デバイス集合体を合成して得られる光学特性が所望の光学特性に近似するよう合成の光学特性を上記データ記録手段に記録された各光学特性データを用いて計算する特性計算手段と、
上記特性計算手段による計算結果に適合するように複数の発光デバイス集合体から最適な発光デバイス集合体を選択し、ランプユニット上での発光デバイス集合体の配置を決定する配置決定手段と、
上記配置決定手段による決定結果である製造管理情報を出力する出力手段と
を備えることを特徴とするバックライト製造管理システム。
【請求項２】
上記発光デバイス集合体には識別コードが付されており、この識別コードを読み取る読み取り手段をさらに備え、上記データ記録手段は上記読み取り手段にて読み取られた識別コードと上記光学特性データとを関連づけて記録し、上記特性計算手段は上記データ記録手段にて識別コードに関連づけられて記録された上記光学特性データを用いて上記合成の特性を計算し、上記配置決定手段は上記特性計算手段による計算結果に適合するように複数の発光デバイス集合体から最適な発光デバイス集合体を選択し、ランプユニット上での発光デバイス集合体の配置を決定することを特徴とする請求項１記載のバックライト製造管理システム。
【請求項３】
上記発光デバイス集合体を含む各部品および半製品にも識別コートが付されており、上記データ記録手段は上記発光デバイス集合体を含む各部品および半製品の識別コードと、上記光学特性データを含む製造データとを関連づけて記録していることを特徴とする請求項１記載のバックライト製造管理システム。
【請求項４】
上記バックライトの部品構成やその製造データを追跡する製造データ追跡手段をさらに備え、上記製造データ追跡手段を用いて、上記データ記録手段が記録している上記製造データと上記識別コードとの関連から、生産時の指示と製造履歴管理を行うことを特徴とする請求項３記載のバックライト製造管理システム。
【請求項５】
液晶パネルを背面から照明するバックライトの製造を管理するためのバックライト製造管理方法において、
バックライトを構成するランプユニットに配置する複数の発光デバイス集合体の各光学特性データをデータ記録媒体に記録するデータ記録工程と、
複数の発光デバイス集合体を合成して得られる光学特性が所望の光学特性に近似するよう合成の光学特性を上記データ記録工程によって上記データ記録媒体に記録された各光学特性データを用いて計算する特性計算工程と、
上記特性計算工程による計算結果に適合するように複数の発光デバイス集合体から最適な発光デバイス集合体を選択し、ランプユニット上での発光デバイス集合体の配置を決定する配置決定工程と、
上記配置決定工程による決定結果である製造管理情報を出力する出力工程と
を備えることを特徴とするバックライト製造管理方法。
【発明の詳細な説明】
【技術分野】
【０００１】
本発明は、画像表示を行う液晶表示装置の液晶パネルを背面から照明するバックライトであって均一な色度や輝度を持つランプユニットを備えたバックライトの製造を管理するバックライト製造管理システム及びバックライト製造管理方法に関する。
【背景技術】
【０００２】
例えば、液晶表示装置（Liquid Crystal Display：ＬＣＤ）は、陰極線管（Cathode-Ray Tube：ＣＲＴ）表示装置と比較して大型画面化、軽量化、薄型化、低電力消費化等が図られることから、例えば自発光型のＰＤＰ表示装置（Plasma Display Panel）等とともにテレビジョン受像機や各種のディスプレィ用に用いられるようになっている。液晶表示装置は、各種サイズの２枚の透明基板の間に液晶を封入し、電圧を印加することにより液晶分子の向きを変えて光透過率を変化させて所定の画像等を光学的に表示する液晶パネルを備える。
【０００３】
液晶表示装置は、液晶自体が発光体ではないために、液晶パネルに照明光を供給する光源部が備えられる。光源部としては、一般に液晶パネルに対して背面部の側方から照明光を供給するサイドライト方式や背面部から照明光を直接供給する直下型のバックライト方式が採用されている。
【０００４】
直下型のバックライト方式を採用した液晶表示装置はＬＣＤパネル部とバックライトユニット部から構成される。液晶表示装置で均一な輝度、色度の表示画像を得るためには、バックライトユニットからの照射光が面状に均一な輝度、色度であることが必要である。
【０００５】
バックライトユニットはＣＣＦＬ（冷陰極線管）やＬＥＤ等の発光デバイスで構成される。発光デバイスで構成するランプユニットはＧ，Ｂ，Ｒを発光する発光デバイスを複数組み合わせ発光デバイス集合体を構成し白色光を合成する。しかし、発光デバイスの色度や輝度のばらつきにより発光デバイス集合体の色度や輝度には、ばらつきが発生する。
【０００６】
そこで、従来は、下記特許文献１に開示されている発光ダイオードの配列方法の如く、色度や輝度の近似した発光デバイス集合体を選別し組み合わせ、ランプユニットを構成していた。すなわち、この発光ダイオードの配列方法は、発光ダイオードの必要とする特性値の特性測定を行って測定された特性値を各発光ダイオード毎に記憶し、特性値を記憶した発光ダイオードを一時的に保管し、必要数の発光ダイオードがそろった時点で隣合う発光ダイオード毎に要求される特性値がほぼ同一となるように必要数の発光ダイオードを配列しなおすという方法である。
【０００７】
【特許文献１】特開２００４−０４７６２０号公報
【発明の開示】
【発明が解決しようとする課題】
【０００８】
ところで、従来の方法では、使用できる発光デバイス集合体が限定され、使用できない規格外発光デバイス集合体が大量に発生し製造コストの増大につながっていた。
【０００９】
課題をまとめると、バックライトは、ランプユニットごとに色度や輝度が異なっているので、液晶表示装置の表示画像が製品ごとにばらつき製品品質のばらつきとなっていた。また、製品品質を揃えることを目的に上記特許文献１のように、均一の光源を得るため、できるだけ近似した光学特性を持つ発光デバイスでランプユニットを構成しようとすると、発光デバイス集合体を色度や輝度別に選別、管理することになり、製造コストの削減が困難となる虞があった。
【００１０】
本発明は、上記実情に鑑みてなされたものであり、製造コストの削減が実現できるバックライト製造管理システム及びバックライト製造管理方法の提供を目的とする。また、組み付け作業の生産性を向上できるバックライト製造管理システム及びバックライト製造管理方法の提供を目的とする。また、ランニングコストの削減が実現できるバックライト製造管理システム及びバックライト製造管理方法の提供を目的とする。
【課題を解決するための手段】
【００１１】
本発明に係るバックライト製造管理システムは、上記課題を解決するために、液晶パネルを背面から照明するバックライトの製造を管理するバックライト製造管理システムにおいて、バックライトを構成するランプユニットに配置する複数の発光デバイス集合体の各光学特性データを記録するデータ記録手段と、複数の発光デバイス集合体を合成して得られる光学特性が所望の光学特性に近似するよう合成の光学特性を上記データ記録手段に記録された各光学特性を用いて計算する特性計算手段と、上記特性計算手段による計算結果に適合するように複数の発光デバイス集合体から最適な発光デバイス集合体を選択し、ランプユニット上での発光デバイス集合体の配置を決定する配置決定手段と、上記配置決定手段による決定結果である製造管理情報を出力する出力手段とを備える。
【００１２】
このバックライト製造管理システムによれば、バックライトを製造する際に、ＬＥＤなど発光デバイスに色度や輝度のばらつきがあっても均一な色度や輝度を実現するべく発光デバイスの色度や輝度を測定し、データ記録手段により色度や輝度等の光学特性をデータとして記録し、特性計算手段が複数の発光デバイスの合成の色度や輝度が所望の色度や輝度に近似するよう合成の色度や輝度を計算し、配置決定手段が上記計算結果を実現すべく多数の発光デバイスから最適な発光デバイスを選択し、その配置を決定し、出力手段が外部に出力する。
【００１３】
本発明に係るバックライト製造管理方法は、上記課題を解決するために液晶パネルを背面から照明するバックライトの製造を管理するためのバックライト製造管理方法において、バックライトを構成するランプユニットに配置する複数の発光デバイス集合体の各光学特性データをデータ記録媒体に記録するデータ記録工程と、複数の発光デバイス集合体を合成して得られる光学特性が所望の光学特性に近似するよう合成の光学特性を上記データ記録工程によって上記データ記録媒体に記録された各光学特性データを用いて計算する特性計算工程と、上記特性計算工程による計算結果に適合するように複数の発光デバイス集合体から最適な発光デバイス集合体を選択し、ランプユニット上での発光デバイス集合体の配置を決定する配置決定工程と、上記配置決定工程による決定結果である製造管理情報を出力する出力工程とを備える。
【００１４】
このバックライト製造管理方法によれば、バックライトを製造する際に、ＬＥＤなど発光デバイスに色度や輝度のばらつきがあっても均一な色度や輝度を実現するべく発光デバイスの色度や輝度を測定し、データ記録工程により色度や輝度等の光学特性をデータとして記録し、特性計算工程が複数の発光デバイスの合成の色度や輝度が所望の色度や輝度に近似するよう合成の色度や輝度を計算し、配置決定工程が上記計算結果を実現すべく多数の発光デバイスから最適な発光デバイスを選択し、その配置を決定し、出力工程が外部に出力する。
【００１５】
また、発光デバイス集合体には識別コードが付され、識別コードと光学特性データ（色度や輝度データ）が関連づけられて記録されており識別コードを読み取り手段により読み取ると、その配置が指示される。
【００１６】
このとき、指示はモニターに表示され、指示書などで指示され人手により実現される場合と、電気信号により指示され機械装置により実現される場合がある。
【００１７】
また、バックライト組立工程において、発光デバイス集合体を含む各部品および半製品にも識別コードが付され生産データと関連づけられ記録されることで製造履歴が管理でき、製品の製造諸条件、例えば部品の生産ロットを照会することが可能で、生産時の指示と製造履歴管理ができる。
【発明の効果】
【００１８】
本発明に係るよれば、異なった光学特性（色度や輝度）をもつ発光デバイス集合体でランプユニットが製造できるので、使用可能な発光デバイス集合体の選択が大幅に増加し、発光デバイス集合体の不良数が減少し製造コストが削減できる。また、発光デバイス集合体取り付けの指示がモニターに表示されるので、人手による組み付け作業の生産性が大幅に向上する。また、発光デバイス集合体の配置を入力手段（読み取り手段）により再確認できるので、取付間違いを未然防止することが可能である。
【００１９】
また、機械装置による自動化が可能なので、生産性向上と配置間違いによる不良品発生を低減させることが可能である。さらに、発光デバイス集合体を選別して在庫、保管することが少なくなるので、ランニングコストが大幅に削減できる。
【発明を実施するための最良の形態】
【００２０】
以下、本発明を実施するための最良の形態を説明する。この実施の形態は、画像表示を行う液晶表示装置の液晶パネルを背面から照明するバックライトであって均一な色度や輝度を持つランプユニットを備えたバックライトの製造を管理するためのバックライト製造管理システムである。
【００２１】
このバックライト製造管理システムは、後述する発光デバイス集合体を発光デバイス集合体取り付けフレーム上に配置してランプユニットを形成するための情報（製造管理情報）を出力する。この製造管理情報に基づいて、作業者が発光デバイス集合体を発光デバイス集合体取り付けフレームに配置し、それを固定することで、ランプユニットを製造することができる。また、上記製造管理情報を電気信号として受信した組み立て機械装置にて発光デバイス集合体を後述する保管庫から取り出し、発光デバイス集合体取り付けフレームに配置し、それを固定することで自動的にランプユニットを製造することもできる。
【００２２】
バックライト製造管理システムは、従来のように、色度や輝度の近似した発光デバイスの集合体を選別し組み合わせるための情報を出力するのではなく、色度や輝度にばらつきがある発光デバイス集合体を用いてランプユニットを製造するための製造管理情報を出力するところに特徴がある。
【００２３】
先ず、バックライト製造管理システムによって製造されるバックライトが液晶表示装置のどの部分で用いられるのか、またバックライトはどのような構造であるのかを説明しておく。
【００２４】
図１には、直下型のバックライト方式を採用した液晶モジュールの概略構造を示す。液晶モジュールはＬＣＤパネル部１とバックライトユニット部７から構成される。ＬＣＤパネル部１は偏光板２、ガラス基板（ＣＦ側）３、カラー液晶４、ガラス基板（ＴＦＴ側）５、偏光板６からなる。バックライトユニット部７は拡散板８、レンズシート９等の光学系、ランプユニット１０からなる。
【００２５】
ランプユニット１０は、図２に示すごとく、発光デバイス集合体取り付けフレーム１１上に複数の発光デバイス集合体１２を配置し、固定してなる。図２では、便宜上、発光デバイス集合体１２の配置の説明のため、Ｘ，Ｙ座標を図示している。発光デバイス集合体取り付けフレーム１１上には、Ｙ方向の１，２，３，４，５及び６という合計６行毎に、Ｘ方向の１，２及び３の列に並べた各３個の発光デバイス集合体１２が配置されている。したがって、ランプユニット１０は、発光デバイス集合体取り付けフレーム１１上に合計１８個の発光デバイス集合体１２を備えている。
【００２６】
ランプユニット１０への発光デバイス集合体１２の配置位置、数は生産品目によって異なる。特に、本実施の形態のバックライト製造管理システムは、発光デバイス集合体１２を発光デバイス集合体取り付けフレーム１１上に配置するときの配置位置の決定方法に特徴がある。詳細は後述する。
【００２７】
発光デバイス集合体１２は、図３（ａ）に側面を、図３（ｂ）に上面を示す如く、基板１３上に例えばＧ（緑）、Ｂ（青），Ｒ（赤）の発光色の異なった発光デバイス１４、１５及び１６を装備している。発光デバイス集合体１２は、発光デバイス１４、１５及び１６のＧ，Ｂ及びＲの発光を合成することで白色光を得ることが可能となっている。１個の発光デバイス集合体１２における発光デバイスの実装数と、Ｇ，Ｂ，Ｒの比率は任意に設定されてよい。また、基板１３には識別コード１７が付加されている。識別コード１７は、例えば刻印、印刷、ラベルなどで記録されており、識別コードを読み取る識別コード読み取り部にあわせ任意に選択可能とする。識別コード読み取り部については後述する。
【００２８】
図４に示すごとく、発光デバイス１４、１５及び１６は複数の工程（Ｎ-ｐ、Ｎ≧ｐ>０）により基板１３に実装され、発光デバイス集合体１２として組みつけられる。例えば、発光デバイスがＬＥＤである場合の発光デバイス集合体の要部について説明する。
【００２９】
各ＬＥＤは、発光部を樹脂ホルダによって保持するとともに樹脂ホルダから一対の端子を引き出してなる。各ＬＥＤには、詳細を省略するが出射光の主成分を発光部の外周方向に出射する指向性を有するいわゆるサイドエミッション型のＬＥＤが用いられている。
【００３０】
発光デバイス集合体１２は、各配線基板１３が全て同一仕様で形成されており、図示を省略するが各配線基板１３に各ＬＥＤをシリーズで接続する配線パターンや各ＬＥＤの端子を接続するランド等が形成されている。各配線基板１３には、幅方向の一側部の近傍でかつ一方側に位置して入力用コネクタが実装されるとともに、他方側に位置して出力用コネクタが実装されている。
【００３１】
次に、図５を参照してバックライト製造管理システム２０の構成、動作について説明する。バックライト製造管理システム２０は、入力端末２１から複数の発光デバイス集合体の光学特性が入力され、当該光学特性のデータを記録するデータ記録部２４と、複数の発光デバイス集合体を合成して得られる光学特性が所望の光学特性に近似するよう合成の光学特性をデータ記録部２４に記録された各光学特性を用いて計算する特性計算部２５と、特性計算部２５による計算結果に適合するように複数の発光デバイス集合体から最適な発光デバイス集合体を選択し、ランプユニット上での発光デバイス集合体の配置を決定する配置決定部２６と、配置決定部２６による決定結果を出力する出力部２７とを備える。また、バックライト製造管理システム２０は、発光デバイス集合体に付加された識別コードを読み取る読み取り部２２をさらに備える。
【００３２】
特に、データ記録部２４と特性計算部２５と配置決定部２６は、製造管理情報生成部２３を構成する。よって、製造管理情報生成部２３は、複数の発光デバイス集合体を合成して得られる光学特性が所望の光学特性に近似するよう合成の光学特性を計算し、計算結果に適合するように複数の発光デバイス集合体から最適な発光デバイス集合体を選択し、ランプユニット上での発光デバイス集合体の配置を決定する情報を生成すると定義できる。
【００３３】
データ記録部２４は読み取り部２２にて読み取られた識別コード１７と、発光デバイス集合体１２の光学特性とを関連づけて記録する。また、特性計算部２５はデータ記録部２４にて識別コードに関連づけられて記録された光学特性データを用いて、複数の発光デバイス集合体を合成した光学特性が所望の光学特性に近似するよう合成の光学特性を計算する。
【００３４】
配置決定部２６は特性計算部２５による計算結果に適合するように複数の発光デバイス集合体から最適な発光デバイス集合体を選択し、ランプユニット上での発光デバイス集合体の配置を決定する。
【００３５】
特性計算部２５における特性計算処理と、配置決定部２６における配置決定処理について以下に説明する。
【００３６】
発光デバイス集合体１２は工程（Ｎ−ｑ、Ｎ≧ｐ＞ｑ＞０）において発光デバイス集合体取り付けフレーム１１に配置、固定されるが均一な色度や輝度を得るため、周囲の発光デバイス集合体１２との色度や輝度バランスを図るべく最適配置を求める必要がある。
【００３７】
そこで、特性計算部２５は、以下の原理に基づいて、複数の発光デバイス集合体を合成した光学特性を計算する。光学特性としては、発光体の色度と輝度に関する特性を考慮する。
【００３８】
発光体の色度は図６に示される色度図で表現される。ランプユニット１０全体の色度が、例えば、色度範囲３０内に所望されたとする。色度範囲３０内の発光デバイス集合体を組み合わせれば実現できるが使用可能な発光デバイス集合体が限定されるため、範囲３１内の発光デバイス集合体を組み合わせることとする。
【００３９】
図７に示すＡ，Ｂ２点の色度を持つ発光デバイス集合体が存在する場合、その合成色度は加法混色の原理によりＡ，Ｂ２点を結ぶ直線上に存在することになる。各座標をＡ（ａ１、ａ２）、Ｂ（ｂ１、ｂ２）とし、ＡＢを結ぶ直線をｍ：ｎに内分する点が合成色度の座標Ｃとすると、
Ｃ（（ｎａ１＋ｍｂ１）／（ｍ＋n）、（ｎａ２＋ｍｂ２）／（ｍ＋ｎ））
で表される。
【００４０】
この式にあって、ｍ，ｎを適宜に選択し、特性計算部２５において範囲３１内の発光デバイス集合体１２の組み合わせを計算し、選択することで範囲３０の色度を得ることが可能となる。合成色度は複数の色度座標からも同様に算出される。
【００４１】
配置決定部２６は、特性計算部２５において計算された計算結果に基づいて複数の発光デバイス集合体１２の発光デバイス集合体取り付けフレーム１１上の配置位置を決定する。
【００４２】
出力部２７は、例えばＧＵＩ部とモニタからなり、配置決定部２６にて決定された複数の発光デバイス集合体の発光デバイス集合体取り付けフレーム１１上の配置位置を製造管理情報の画像として出力する。
【００４３】
出力部２７のモニタを作業者が確認することにより、所定の保管庫から上記識別コードに基づいて保管されている、発光デバイス集合体１２を取り出し、発光デバイス集合体取り付けフレーム１１上に配置し、固定する。
【００４４】
したがって、バックライト製造管理システム２０を用いれば、異なった光学特性（色度や輝度）を持つ発光デバイス集合体１２を発光デバイス集合体取り付けフレーム１１上に配置してランプユニット１０を製造できる。そして、このランプユニット１０を用いて図１に示すようなバックライトユニット７を製造できる。このため、使用可能な発光デバイス集合体の選択が大幅に増加し、発光デバイス集合体の不良数が減少し、よって製造コストが削減できる。
【００４５】
また、バックライト製造管理システム２０を用いれば、発光デバイス集合体１２の発光デバイス集合体取り付けフレーム１１への取り付けの指示が出力部２７のモニター上に表示されるので、作業者という人手による組み付け作業の生産性が大幅に向上する。
【００４６】
また、発光デバイス集合体１２の配置を出力部２７のモニターにより確認できるので、取り付け間違いを大幅に防ぐことができる。また、発光デバイス集合体を選別して在庫、保管することが少なくなるので、ランニングコストが大幅に削減できる。
【００４７】
なお、特性計算部２５の計算アルゴリズムは加法混色原理の他、例えば図８に示すごとく一定範囲の色度と発光デバイス取り付けフレーム座標を予め設定するなど任意のアルゴリズムでも良い。図８には発光デバイス色度範囲３２として、Ａ（ａ，ａ）→Ｂ（ｂ，ｂ）→Ｃ（ｃ，ｃ）が設定されており、それに対応した発光デバイス取り付けフレーム配置座標として３４｛Ｄ（１、２）、Ｅ（２、４）、Ｆ（３，２）｝、３５｛Ｇ（１、１）、Ｈ（２、２）、Ｉ（３，１）｝が設定されている。図２に示した発光デバイス集合体取り付けフレーム１１上では、３４−Ｄ，３４−Ｅ，３４−Ｆ及び３５−Ｇ，３５−Ｈ，３５−Ｉとして示している。これを、例えば図７におけるＡ点、Ｂ点及びＣ点と対応させて見る。Ａ点とＢ点との間の色度は、３つの発光デバイス集合体１２を３４−Ｄ，３４−Ｅ，３４−Ｆという位置に配置することによって得ることができる。また、Ｂ点とＣ点との間の色度は、３つの発光デバイス集合体１２を３５−Ｇ，３５−Ｈ，３５−Ｉの位置に配置することによって得ることができる。
【００４８】
次に、図９を参照して、他の実施の形態となるバックライト製造管理システム４０について説明する。このバックライト製造管理システム４０は、例えば２台のコンピュータのような入力端末４１及び４２と、発光デバイス集合体１２に付加された識別コードを読み取る読み取り部４３と、図５に示した上記製造管理情報生成部２３の変形となる生産指示兼製造管理部４４と、入力部５２及び５４と、出力部（モニタ）５１及び５３とを備える。
【００４９】
生産指示兼製造管理部４４は、コンピュータ内で製造データ記録部４５と、製造データ関連付け部４６と、製造データ追跡部４７と、データ計算部４８と、製造データＧＵＩ部４９と、指示ＧＵＩ部５０とを実現する。ここでいうコンピュータとは、周知のように、演算処理部と、記録媒体などを含む構成のものである。
【００５０】
製造データ記録部４５は、発光デバイス集合体１２の予め測定された光学特性（輝度や色度）を含む製造データを記録する。この光学特性を含む製造データは、入力端末４１によって入力される。上記製造データには、発光デバイス集合体の、上記図４に示した各製造工程における製造データの他、製造番号、製造月日、製造場所、発光デバイスの種類、仕様等が記述されている。
【００５１】
製造データ関連付け部４６は、読み取り部４３によって発光デバイス集合体１２から読み取られた識別コード１７と、製造データ記録部４５によって記録された光学特性を含む製造データとを関連付ける。
【００５２】
データ計算部４８は、上記特性計算部２５に相当し、複数の発光デバイス集合体を合成した光学特性が所望の光学特性に近似するよう合成の光学特性を計算する。また、図７に示したような任意のアルゴリズムを実行して特性を計算してもよい。
【００５３】
指示ＧＵＩ部５０は、図５に示した配置決定部２６に相当し、データ計算部４８にて計算された光学特性に適合するように複数の発光デバイス集合体から最適な発光デバイス集合体を選択し、ランプユニット上での発光デバイス集合体の配置を決定し、その決定情報をグラフィカル表示するためにインターフェースし、モニタ５３に表示する。
【００５４】
製造データ追跡部４７は、例えばあるバックライトの部品構成やその製造データを追跡する。製造データＧＵＩ部４９は、製造データ追跡部４７にて追跡された製造データ等をグラフィカル表示するためにインターフェースし、モニタ５１に表示する。
【００５５】
発光デバイス集合体１２の色度データを含む各工程の製造データは、各入力端末４１、４２から、製造データ記録部４５に記録され、部品及び半製品に付けられた識別コードにより関連つけられているので、例えばあるバックライトの部品構成やその製造データを、製造データ追跡部４７にて追跡調査し、製造データＧＵＩ部４９を経てモニタ５１に表示させることにより、製造履歴管理することが可能である。
【００５６】
製造データ追跡部４７により、バックライトの部品構成やその製造データを追跡し、データ記録部４５が記録している製造データと識別コードとの関連から、生産時の指示と製造履歴管理を行う。
【００５７】
これによって、バックライト組立工程において、発光デバイス集合体を含む各部品および半製品にも識別コードが付され生産データと関連づけられ記録されることで製造履歴が管理でき、製品の製造諸条件、例えば部品の生産ロットを照会することが可能で、生産時の指示と製造履歴管理ができる。
【００５８】
バックライト製造管理システム４０によって、生成されてモニタ５３に表示された上記ランプユニット上での発光デバイス集合体の配置を決定した情報を基に、組み立て工程では、作業者が発光デバイス集合体を発光デバイス集合体取り付けフレームに配置し、それを固定することで、ランプユニットを製造することができる。また、上記情報を電気信号として受信した組み立て機械装置にて発光デバイス集合体を後述する保管庫から取り出し、発光デバイス集合体取り付けフレームに配置し、それを固定することで自動的にランプユニットを製造することもできる。
【００５９】
以下に、上記決定情報の生成から、自動組み立て工程に至る動作について説明する。例えば、図１０に示すごとく、発光デバイス集合体１２が集合体保管器６０上に保管されている。読み取り部４３にて発光デバイス集合体１２の識別コード１７を読み取ることにより、製造データ記録部４５、製造データ関連付け部４６、データ計算部４８、指示ＧＵＩ部５０、製造データ追跡部４７、製造データＧＵＩ部４９をコンピューター内で実現する生産指示兼製造履歴管理部４４がモニタ５３に対象発光デバイス集合体と発光デバイス取り付けフレーム１１への設置・固定位置を表示する。モニタ５３には、「番号１２３・・・」の発光デバイス集合体を、例えば上記図２に示した発光デバイス集合体取り付けフレーム１１の設置位置（座標（Ｘ，Ｙ）＝（２、３））に配置せよという上記決定情報が表示されている。
【００６０】
そして、図１１に示すごとく、生産指示兼製造履歴部４４より指示を電気信号にて発信することで、機械装置にて発光デバイス集合体１２の設置・固定を実現することが可能である。
【００６１】
発光デバイス集合体１２は集合体保持器６０上に配置されている。たとえば３軸ロボット６１に、読み取り部４３と発光デバイス集合体把持・固定器６２が設けられており、発光デバイス集合体１２の識別コード１７を読み取ることで生産指示兼製造履歴部４４より電気指示信号が３軸ロボット制御装置６３に入力される。
【００６２】
３軸ロボット６１は上記制御装置６３の制御に従い選択された保持器６０上の発光デバイス集合体１２を把持し、発光デバイス取り付けフレーム１１に配置し、自動固定器により固定する。
【００６３】
また、このバックライト制御管理システム４０では、配置終了した発光デバイス集合体１２の識別コード１７を読み取り部４３で再度読み取り、データー計算部４８の指示結果と照合することで発光デバイス集合体の設置間違いが防止できる。
【００６４】
以上説明したように、バックライト製造管理システム４０によれば、異なった光学特性（色度や輝度）をもつ発光デバイス集合体でランプユニットが製造できるので、使用可能な発光デバイス集合体の選択が大幅に増加し、発光デバイス集合体の不良数が減少し製造コストが削減できる。
【００６５】
また、発光デバイス集合体取り付けの指示がモニターに表示されるので、人手による組み付け作業の生産性が大幅に向上する。また、発光デバイス集合体の配置を読み取り部により再確認できるので、取付間違いを未然防止することが可能である。
【００６６】
また、機械装置による自動化が可能なので、生産性向上と配置間違いによる不良品発生を低減させることが可能である。また、発光デバイス集合体を選別して在庫、保管することが少なくなるので、ランニングコストが大幅に削減できる。
【図面の簡単な説明】
【００６７】
【図１】直下型のバックライト方式を採用した液晶モジュールの概略構造を示す図である。
【図２】ランプユニットの平面図である。
【図３】発光デバイス集合体の側面図及び上面図である。
【図４】発光デバイスの発光デバイス集合体への組み付け工程を説明するための図である。
【図５】バックライト製造管理システムの構成を示すブロック図である。
【図６】発光デバイス集合体の組み合わせ使用を説明するために用いる色度特性図である。
【図７】加法混色の原理によりＡ，Ｂ２点を結ぶ直線上に存在する合成色度を求める原理を説明するために用いる色度特性図である。
【図８】一定範囲の色度と発光デバイス取り付けフレーム座標を予め設定するアルゴリズムを説明するための図である。
【図９】他の実施の形態となるバックライト製造管理システムの構成を示すブロック図である。
【図１０】管理情報の決定に基づく組み立て工程を示す図である。
【図１１】自動組み立て装置による自動組み立て手順を示す図である。
【符号の説明】
【００６８】
７  バックライトユニット、１０  ランプユニット、１１  発光デバイス集合体取り付けフレーム、１２  発光デバイス集合体、１７  識別コード、２０  バックライト製造管理システム、２１  入力端末、２２  読み取り部、２３  製造管理情報生成部、２４  データ記録部、２５  特性計算部、２６  配置決定部、２７  出力部
【図１】
2006251532.tif 000003
【図２】
2006251532.tif 000004
【図３】
2006251532.tif 000005
【図４】
2006251532.tif 000006
【図５】
2006251532.tif 000007
【図６】
2006251532.tif 000008
【図７】
2006251532.tif 000009
【図８】
2006251532.tif 000010
【図９】
2006251532.tif 000011
【図１０】
2006251532.tif 000012
【図１１】
2006251532.tif 000013